(57)【特許請求の範囲】
【請求項１】
カウンターの後方に立設した壁板に固定され、前方に張り出し部を形成した水栓本体と、前記張り出し部の上面に形成された傾斜面に装着され、湯水の温度及び流量を調節する混合弁と、該混合弁で調節された湯水を供給するハンドシャワーと、該ハンドシャワーを着脱自在に支持するホルダーとを備え、該ホルダーは前記張り出し部の下部に装着し、前記混合弁とハンドシャワーを接続するホースを、壁板の裏側から壁板に穿設した挿通孔及び水栓本体の下方を通り抜けてホルダーに挿通させたことを特徴とするハンドシャワー付混合水栓。
【請求項２】
前記混合弁は、水栓本体の張り出し部に形成した傾斜面に対して垂直方向に装着したことを特徴とする請求項１記載のハンドシャワー付混合水栓。
【請求項３】
前記ホルダーは、張り出し部に装着した基部から延設する立ち上がり部を先端に向けて上向きとなるように傾斜させ、ホースは壁板の裏側とホルダーの立ち上がり部の間で傾斜状に出し入れすることを特徴とする請求項１又は２記載のハンドシャワー付混合水栓。
【請求項４】
前記水栓本体の下部にはホースを覆うカバーを装着したことを特徴とする請求項１乃至３の何れかに記載のハンドシャワー付混合水栓。
【発明の詳細な説明】
【０００１】
【発明の属する技術分野】
本発明は、例えば流し台又は洗面化粧台に取り付けて使用するハンドシャワー付混合水栓に関するものである。
【０００２】
【従来の技術】
従来、流し台又は洗面化粧台に取り付けて使用する混合水栓で、ハンドシャワーをホースと共に水栓本体から引き出して広い範囲に吐水できるようにしたものとして公知のものに、特開平１０−２８０５００号公報の図２（本願図面の図４）のものがある。この図４について簡単に説明すると、混合水栓２１は水栓本体２２の下部に基台部２３を形成し、該基台部２３を流し台や洗面台のカウンター後方から略垂直に立設した壁板２０の側面に固定し、水栓本体２２にはレバー２５の操作で湯水の温度及び流量を調節する混合弁２４と、該混合弁２４の下部に回転自在に嵌合したホルダー２６とを同一軸線上に装着し、該ホルダー２６から基台部２３の内部に形成された空間２３ａにはホース２８を挿通し、該ホース２８は壁板２０の裏側で垂れ下がり、水栓本体２２の供給路２７を介して前記混合弁２４に接続し、該ホース２８の先端に取り付けたハンドシャワー２９を、ホルダー２６の先端に引き出し自在に支持したものである。
【０００３】
上記の混合水栓は、通常の回転自在の吐水管を備えた混合水栓と比較して、ハンドシャワーをホースと共にホルダーから引き出して使用できるので、吐水範囲を広くすることができ、洗い物作業等を行なうのに便利であり、しかも水栓本体の基台部はカウンターの後部から略垂直に立設した壁板の側面に固定したので、カウンター上面はすっきりとして清掃が容易で、しかも物品を置くスペースが広くなり有効に利用することが出来る。
【０００４】
しかしながらホースは基台部の上側に装着したホルダーの内部を挿通しているので、ホルダーと壁板の裏側の間では、基台部の内部の狭い空間を通り抜けなければならず、ハンドシャワーと共にホースをホルダーから引き出す際に、ホースは基台部の狭い空間内で内壁面の数箇所と接触してしまい、スムーズに出し入れすることができず、さらにホースに傷が付いたり異常音が発生する等の問題があった。
【０００５】
【発明が解決しようとする課題】
本発明が解決しようとする課題は、カウンターの後方に立設した壁板に固定して使用するハンドシャワー付混合水栓において、ハンドシャワーをホースと共にホルダーからスムーズに出し入れすることである。
【０００６】
【課題を解決するための手段】
本発明は請求項１では、カウンターの後方に立設した壁板に固定され、前方に張り出し部を形成した水栓本体と、前記張り出し部の上面に形成された傾斜面に装着され、湯水の温度及び流量を調節する混合弁と、該混合弁で調節された湯水を供給するハンドシャワーと、該ハンドシャワーを着脱自在に支持するホルダーとを備え、該ホルダーは前記張り出し部の下部に装着し、前記混合弁とハンドシャワーを接続するホースを、壁板の裏側から壁板に穿設した挿通孔及び水栓本体の下方を通り抜けてホルダーに挿通させたものである。
【０００７】
請求項２では、前記混合弁は、水栓本体の張り出し部に形成した傾斜面に対して垂直方向に装着したものである。
【０００８】
請求項３では、前記ホルダーは、張り出し部に装着した基部から延設する立ち上がり部を先端に向けて上向きとなるように傾斜させ、ホースは壁板の裏側とホルダーの立ち上がり部の間で傾斜状に出し入れするものである。
【０００９】
請求項４では、前記水栓本体の下部にはホースを覆うカバーを装着したものである。
【００１０】
【発明の実施の形態】
以下、本発明の実施の形態を図に基づいて詳細に説明する。図１に示すように洗面台や流し台等のうち、流し台１のカウンター２には湯水が吐水されるシンク３が形成されており、カウンター２の後方には壁板４が略垂直に立設されている。
【００１１】
図１及び図２に示すように、ハンドシャワー付混合水栓Ａは水栓本体６の背面側が略垂直に形成され、この背面側を前記壁板４に穿設した挿通孔４ａに向かい合わせて、前面から別に設けた固定部材５を介して壁板４の表面に固定されるものであり、水栓本体６の正面前方には全幅にわたって張り出し部７を形成し、該張り出し部７の上面には前方に向かうにつれて徐々に低くなる傾斜面７ａが形成されている。このように水栓本体６は、張り出し部７の上面を前方に向かうにつれて徐々に低くなる傾斜面７ａとしたので、水栓本体６の上面にふりかかる水滴は、傾斜面７ａに沿ってスムーズに落下してシンク３に流れ落ちることで、水栓本体６表面の水垢の発生を防止することができ、水栓本体６を清潔な状態に維持することができる。
【００１２】
前記水栓本体６に形成した張り出し部７の傾斜面７ａには、円筒状の開口部７ｂを傾斜面７ａに対して垂直方向に凹設し、該開口部７ｂには湯水の流量及び温度を調節するための混合弁８が傾斜方向に装着される。該混合弁８は内部に円盤状でセラミックス又は樹脂からなる固定板８ａと可動板８ｂとが、互いに重なり合う状態で収容されており、下部に接続した水管９と湯管１０と供給管１１は、前記壁板４の挿通孔４ａを傾斜方向に挿通して壁板４の裏側に下方に向けて延長しており、給水源と連通する水管９と給湯源と連通する湯管１０から、水と湯が混合弁８へ供給され、前記可動板８ｂの上部に連繋して傾斜面７ａから上部に突出したレバー８ｃを、上下方向又は左右方向へ操作することにより、可動板８ｂが固定板８ａ上を摺動して湯水の流量又は温度を調節し、混合弁８で調節された湯水は供給管１１へ送り出される。このように混合弁８は水栓本体６に傾斜状に装着することで、水管９，湯管１０及び供給管１１を壁板４の挿通孔４ａへ直線的に挿通させ、水栓本体６をコンパクトにすることができるうえ、レバー８ｃは傾斜面７ａから上部に突出して使用者に向けることで、操作性を向上させることができる。なお、混合弁は本実施例のシングルレバー式に限定されず、サーモスタット式，ミキシングバルブ式，又は２ハンドル式であってもよい。
【００１３】
前記水栓本体６は張り出し部７の下部に略水平にした取付面７ｃを形成し、該取付面７ｃは上面の傾斜面７ａに向けて凹部７ｄを開口し、該凹部７ｄに螺着するナット１２を介してホルダー１３が水平方向に回転自在に装着されており、該ホルダー１３は長寸の中空状で、取付面７ｃに装着される円筒状の基部１３ａと、該基部１３ａから先端に向けて上向きとなるように傾斜させた立ち上がり部１３ｃと、該立ち上がり部１３ｃのさらに先端に形成される水平部１３ｄとを備え、該水平部１３ｄは壁板４に装着した際にカウンター２に対し水平方向となるように、立ち上がり部１３ｃに対して折曲している。
【００１４】
前記供給管１１は壁板４の裏側下方でホース１４と接続し、該ホース１４は、通常は壁板４の裏側でその自重により落としこまれて略Ｕ字状に撓ませており、その先端側は壁板４の挿通孔４ａを挿通して、水栓本体６の下部でホルダー１３と壁板４の間に形成される空間を通り抜け、ホルダー１３の基部１３ａ下方に開口した挿口１３ｂを通して、ホルダー１３の内部へ収容される。この場合、ホース１４は基部１３ａの挿口１３ｂからホルダー１３の前方が上向きとなる傾斜状の立ち上がり部１３ｃの内部に傾斜状に収容されるので、ホース１４は壁板４の裏側から傾斜状の立ち上がり部１３ｃにより案内され、水栓本体６の下部を傾斜方向に通り抜けることができる。
【００１５】
前記ホース１４の先端には、湯水を吐水するハンドシャワー１５が接続され、該ハンドシャワー１５はホルダー１３の水平部１３ｄ先端に支持されており、必要に応じてホルダー１３から引き出して使用するものであり、先端に設けたボタン１５ａを操作すれば、下部に装着した散水板１５ｂから散水又は直流水をシンク３に向けて吐水可能である。
【００１６】
前記ハンドシャワー付混合水栓Ａは図３に示すように、水栓本体６の下部にホース１４及び壁板４の挿通孔４ａを覆い隠し、デザイン性を確保するためのカバー１６が取り外し可能に装着される。該カバー１６は例えば合成樹脂材からなり、上面側及び背面側を開口した異形の箱型で、ビス止め，爪と溝による係合、その他の固定手段で壁板４，固定部材５，又は水栓本体６に取り外し可能に装着することで、カバー１６の内部に形成される収納空間１６ａを前記ホース１４が通り抜けるようにし、ホース１４はカバー１６で覆われて外部に露出しないようにしている。
【００１７】
前記カバー１６の底面部１６ｂは、壁板４の挿通孔４ａと向かい合う背面側に向かうにつれて下方へ傾斜させており、その傾斜角はホルダー１３の立ち上がり部１３ｃの傾斜角と略同一とし、ホース１４は挿通孔４ａの周面とホルダー１３の基部１３ａ内周面に触れるが、カバー１６の内周面には触れないようにしている。なお、カバーは本実施例のように単体だけでなく、複数個に分割したものを結合するものでもよい。
【００１８】
本発明にあっては、混合弁からハンドシャワーへ湯水を供給するホースは、壁板の裏側とホルダーの間で水栓本体の下部をスムーズに通り抜けるので、従来のように混合水栓の内部の狭い空間をホースが通り抜けることで、ハンドシャワーをホルダーから引き出す際にホースをスムーズに出し入れすることができなかったり、ホースに傷が付いたり、異音が発生するということはなく、使用勝手が大幅に向上し、しかもホースは取り外し可能なカバーで覆われ外部に露出しないので、美観を損なわないばかりでなく、施工性やメンテナンス性も大幅に向上する。
【００１９】
【発明の効果】
本発明では請求項１では、混合弁からハンドシャワーへ湯水を供給するホースは、壁板の裏側とホルダーの間で水栓本体の下部をスムーズに通り抜け、ホースに傷が付いたり、異音が発生するということはなく、使用勝手が大幅に向上する。
【００２０】
請求項２では、水栓本体をコンパクトにすることができる。
【００２１】
請求項３では、ホースはホルダーの立ち上がり部に沿ってスムーズに引き出すことができる。
【００２２】
請求項４では、ホースはカバーで覆われ外部に露出しないので、美観を損なうことはない。
【図面の簡単な説明】
【図１】本発明のハンドシャワー付混合水栓を流し台の壁板に固定した状態の斜視図である。
【図２】ハンドシャワー付混合水栓の縦断面図である。
【図３】ハンドシャワー付混合水栓のカバーを外した状態の側面図である。
【図４】従来技術の説明図である。
【符号の説明】
２                    カウンター
４                    壁板
４ａ                  挿通孔
６                    水栓本体
７                    張り出し部
７ａ                  傾斜面
８                    混合弁
１３                  ホルダー
１３ａ                基部
１３ｃ                立ち上がり部
１４                  ホース
１５                  ハンドシャワー
１６                  カバー
Ａ                    ハンドシャワー付混合水栓
【図１】
0003857900.tif 000002
【図２】
0003857900.tif 000003
【図３】
0003857900.tif 000004
【図４】
0003857900.tif 000005